(57)【要約】【課題】多様なマッサージを行うことができると共に、一層ソフトな感触でマッサージを行うことのできるマッサージブラシを提供する。【解決手段】マッサージブラシ１０は、基部１２と、基部１２の上面に連設される把持部３０と、基部１２の周方向に間隔をおいて、基部１２から外側に片持ち梁状に張り出して設けられた張出し梁部１３と、張出し梁部１３の各々の先端部分から下方に突出して設けられた押圧突起１４とを含んで構成されている。把持部３０からの押圧力により押圧突起１４の下端部分１４ａが頭皮等の被押圧部に押し付けられた際に、押圧突起１４の外側への広がりを制限する、広がり制限手段１５を備えている。広がり制限手段１５は、押圧突起１４の外側への広がりを制限する状態と、制限しない状態とを切り換えて、各々の状態を維持できるようになっている。【選択図】図６
2017108895.tif 000002
【特許請求の範囲】
【請求項１】
基部と、該基部の上面に連設される把持部と、前記基部の周方向に間隔をおいて、前記基部から外側に片持ち梁状に張り出して設けられた、弾性部材で形成された複数の張出し梁部と、該複数の張出し梁部の各々の先端部分から下方に突出して設けられた、弾性部材で形成された押圧突起とを含んで構成されており、
且つ前記把持部からの押圧力により前記押圧突起の下端部分が被押圧部に押し付けられた際に、前記押圧突起の外側への広がりを制限する、広がり制限手段を備えており、
該広がり制限手段は、前記押圧突起の外側への広がりを制限する状態と、制限しない状態とを切り換えて、各々の状態を維持できるようになっているマッサージブラシ。
【請求項２】
前記広がり制限手段は、非制限状態維持手段を備えており、該非制限状態維持手段によって、前記押圧突起の外側への広がりを制限しない状態を維持するようになっている請求項１記載のマッサージブラシ。
【請求項３】
前記広がり制限手段は、当該広がり制限手段が上方に折り曲げられるように誘導する折り曲げ誘導部を備えており、該折り曲げ誘導部を介して折り曲げられることにより、前記押圧突起の外側への広がりを制限しない状態に切り換え可能となっていると共に、前記折り曲げ誘導部は、折り曲げられた状態を維持して、前記非制限状態維持手段として機能するようになっている請求項２記載のマッサージブラシ。
【請求項４】
前記広がり制限手段は、複数の前記押圧突起の外側を囲んで環状に連続して配置される、環状規制部を含んで構成されている請求項１〜３のいずれか１項記載のマッサージブラシ。
【請求項５】
前記広がり制限手段は、前記基部の周方向に隣接する一対の前記張出し梁部の間の部分から外側に張り出して設けられた、複数の支持梁部と、該支持梁部に支持させて、複数の前記押圧突起の周囲に環状に連続して配置される、前記環状規制部とを含んで構成されている請求項４項記載のマッサージブラシ。
【請求項６】
前記広がり制限手段は、複数の前記押圧突起の根本部分の周囲に環状に連続して取り付けられた、リング状部材を、前記環状規制部として含んで構成されている請求項４記載のマッサージブラシ。
【請求項７】
前記リング状部材は、複数の前記押圧突起の根本部分の外側部分に各々形成された、リング係止溝に係止されて、根本部分の周囲に環状に連続して取り付けられている請求項６記載のマッサージブラシ。
【請求項８】
前記広がり制限手段は、前記張出し梁部の上方への移動を制限することで、前記押圧突起の外側への広がりを制限するものとなっている請求項１〜４の何れか１項記載のマッサージブラシ。
【請求項９】
前記広がり制限手段は、前記複数の張出し梁部の上面を覆って配置された、傘状部材を含んで構成されている請求項８記載のマッサージブラシ。
【請求項１０】
前記押圧突起の下端部分は、前記張出し梁部の張出し方向の外側から内側に向けて、上方に傾斜して形成された湾曲凸面を内側部分に備えており、前記押圧突起の下端部分の外側部分による先端部の先端曲率半径は、前記内側部分の前記湾曲凸面の曲率半径よりも、小さくなっている請求項１〜９のいずれか１項記載のマッサージブラシ。
【請求項１１】
前記押圧突起の下端部分の前記外側部分による先端部に、当該先端部の先端端曲率半径よりも小さな先端曲率半径を有する下端部補助突起が、下方に突出して設けられている請求項１０記載のマッサージブラシ。
【請求項１２】
前記押圧突起の下端部分の前記内側部分に形成された湾曲凸面に、凸面補助突起が設けられている請求項１０又は１１記載のマッサージブラシ。
【発明の詳細な説明】
【技術分野】
【０００１】
本発明は、マッサージブラシに関し、特に頭皮のマッサージに用いることが可能なマッサージブラシに関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指や掌を押し当てて、圧迫したり、擦り付けたり、回転力を加えて揉み解したりすることで、例えば血液の流れを促進して、疲労の回復や予防を図るものである。
【０００３】
このようなマッサージを行う器具として、各種の電動式のマッサージ器や、足踏み式のマッサージ具等が開発されているが、圧迫法、強擦法、揉捏法、軽擦法、打突法等によるマッサージを手軽に行うことを可能にする、コンパクトな器具の開発が望まれている。
【０００４】
一方、整髪や洗髪を行う際に、これらの整髪や洗髪と同時に頭部（頭皮）へのマッサージ効果を得ることが可能なヘアブラシが知られている（例えば、特許文献１参照）。特許文献１のヘアブラシは、把持片を備える曲面状に湾曲する扁平な椀状の基板の下面に、多数のブラシ突起を突設させたものである。特許文献１のヘアブラシは、これを例えばエラストマーや合成ゴム等の柔軟な素材で作成した場合には、例えば頭皮への押圧と押圧の解除を繰り返すことにより、特に基板の弾性変形によって、ブラシ突起によるマッサージ効果を高めることが可能になる。
【０００５】
また、特許文献１のヘアブラシでは、ブラシ突起が基板に一体として直接固着されており、基板に対するブラシ突起の相対的な変形が制限されるため、ブラシ突起による頭皮へのマッサージ効果は、基板の弾性変形量に依存することになって、圧迫法、強擦法、揉捏法、軽擦法、打突法等によるマッサージ効果を十分に得ることは困難である。
【０００６】
このようなことから、押圧突起の動きを改善して、圧迫法、強擦法、揉捏法、軽擦法、打突法等によるマッサージ効果を十分に得ることを可能にするマッサージブラシが開発されている（例えば、特許文献２参照）。特許文献２のマッサージブラシでは、頭皮へのマッサージ効果を十分に得ることが可能になる。
【先行技術文献】
【特許文献】
【０００７】
【特許文献１】実開昭５５−２７４２２号公報
【特許文献２】特開２０１１−８３５９３号公報
【発明の概要】
【発明が解決しようとする課題】
【０００８】
しかしながら、マッサージブラシの使い方や、好ましいと思われるマッサージの感触には、個人差が大きく、したがって１つのマッサージブラシで多様なマッサージを行えるようにすることが要望されており、また一層ソフトな感触でマッサージを行えるようにすることが要望されていることから、このような要望に応えることができるように、特許文献２のマッサージブラシを、さらに改良してゆくことが望まれている。
【０００９】
本発明は、多様なマッサージを行うことができると共に、一層ソフトな感触でマッサージを行うことのできるマッサージブラシを提供することを目的とする。
【課題を解決するための手段】
【００１０】
本発明は、基部と、該基部の上面に連設される把持部と、前記基部の周方向に間隔をおいて、前記基部から外側に片持ち梁状に張り出して設けられた、弾性部材で形成された複数の張出し梁部と、該複数の張出し梁部の各々の先端部分から下方に突出して設けられた、弾性部材で形成された押圧突起とを含んで構成されており、且つ前記把持部からの押圧力により前記押圧突起の下端部分が被押圧部として頭皮等に押し付けられた際に、前記押圧突起の外側への広がりを制限する、広がり制限手段を備えており、該広がり制限手段は、前記押圧突起の外側への広がりを制限する状態と、制限しない状態とを切り換えて、各々の状態を維持できるようになっているマッサージブラシを提供することにより、上記目的を達成したものである。
【発明の効果】
【００１１】
本発明のマッサージブラシによれば、多様なマッサージを行うことができると共に、一層ソフトな感触でマッサージを行うことができる。
【図面の簡単な説明】
【００１２】
【図１】本発明の好ましい第１実施形態に係るマッサージブラシの側面図である。
【図２】本発明の好ましい第１実施形態に係るマッサージブラシの分解側面図である。
【図３】本発明の好ましい第１実施形態に係るマッサージブラシの（ａ）は要部上面図、（ｂ）ブラシ本体部の下面図である。
【図４】ブラシ本体部を斜め下方から視た斜視図である。
【図５】（ａ）、（ｂ）は、押圧突起の外側への広がりを制限する状態を説明する、図３（ｂ）のＡ−Ａに沿ったブラシ本体部の略示断面図である。
【図６】（ａ）、（ｂ）は、押圧突起の外側への広がりを制限しない状態を説明する、図３（ｂ）のＡ−Ａに沿ったブラシ本体部の略示断面図である。
【図７】（ａ）、（ｂ）は、押圧突起の外側への広がりを制限しない状態に切り替えて維持する折り曲げ誘導部による機能を説明する、図３（ｂ）のＢ−Ｂに沿ったブラシ本体部の略示断面図である。
【図８】本発明の好ましい第２実施形態に係るマッサージブラシの側面図である。
【図９】本発明の好ましい第２実施形態に係るマッサージブラシの（ａ）は要部上面図、（ｂ）ブラシ本体部の下面図である。
【図１０】押圧突起の外側への広がりが制限された状態を説明する、図９（ｂ）のＣ−Ｃに沿ったブラシ本体部の略示断面図である。
【図１１】押圧突起の外側への広がりが制限されていない状態を説明するブラシ本体部の略示側面図である。
【図１２】制限手段係止部によって広がり制限手段を係止した状態を説明する、（ａ）は側面図、（ｂ）は正面図である。
【図１３】本発明の好ましい第３実施形態に係るマッサージブラシの側面図である。
【図１４】本発明の好ましい第３実施形態に係るマッサージブラシの（ａ）は要部上面図、（ｂ）ブラシ本体部の下面図である。
【図１５】（ａ）〜（ｆ）は、押圧突起の下端部分の他の形態を例示する略示側面図及び略示斜視図である。
【図１６】（ａ）〜（ｅ）は、押圧突起の下端部分のさらに他の形態を例示する略示側面図及び略示斜視図である。
【図１７】（ａ）〜（ｃ）は、押圧突起の他の形態を例示する略示側面図及び略示断面図である。
【発明を実施するための形態】
【００１３】
図１〜図４に示す本発明の好ましい第１実施形態に係るマッサージブラシ１０は、例えば頭皮に指を押し当てて行う圧迫法や強擦法や揉捏法及び、軽擦法、打突法等による頭部へのマッサージに代えて、本第１実施形態のマッサージブラシ１０を用いてマッサージを行うことにより、好ましくは髪の毛に直接手で触れることなく、指でマッサージを行った場合と同等のマッサージ効果が得られるようにするものである。また、第１実施形態のマッサージブラシ１０は、多様なマッサージを行うことを可能にすると共に、一層ソフトな感触でマッサージを行うことができるようにする機能を備えている。また、第１実施形態のマッサージブラシ１０は、頭皮だけでなく、頭部以外の身体等を被押圧部としてマッサージを行うことができる。
【００１４】
そして、本第１実施形態のマッサージブラシ１０は、図１及び図２に示すように、基部１２と、基部１２の上面に連設される把持部３０と、基部１２の周方向に間隔をおいて、基部１２から外側に片持ち梁状に張り出して設けられた、弾性部材で形成された複数の張出し梁部１３と、複数の張出し梁部１３の各々の先端部分から下方に突出して設けられた、弾性部材で形成された押圧突起１４とを含んで構成されており、且つ把持部３０からの押圧力により押圧突起１４の下端部分１４ａが、被押圧部として例えば頭皮等に押し付けられた際に、押圧突起１４の外側への広がりを制限する、広がり制限手段１５を備えている。広がり制限手段１５は、押圧突起１４の外側への広がりを制限する状態と、制限しない状態とを切り換えて、各々の状態を維持できるようになっている（図５（ａ）、（ｂ）及び図６（ａ）、（ｂ）参照）。
【００１５】
また、本第１実施形態では、広がり制限手段１５は、非制限状態維持手段２１を備えており、この非制限状態維持手段２１によって、押圧突起１４の外側への広がりを制限しない状態を維持するようになっている（図７（ａ）、（ｂ）参照）。
【００１６】
さらに、本第１実施形態では、広がり制限手段１５は、当該広がり制限手段１５が上方に折り曲げられるように誘導する折り曲げ誘導部（切り欠き状溝部）１６ａを備えており(図１、図７（ａ）  参照)、この折り曲げ誘導部１６ａを介して折り曲げられることにより、押圧突起１４の外側への広がりを制限しない状態に切り換え可能となっていると共に(図７（ｂ）参照)、折り曲げ誘導部１６ａは、折り曲げられた状態を維持して、非制限状態維持手段２１として機能するようになっている(図７（ｂ）参照)。
【００１７】
さらにまた、本第１実施形態のマッサージブラシ１０では、広がり制限手段１５は、基部１２の周方向に隣接する一対の張出し梁部１３の間の部分から外側に張り出して設けられた、複数の支持梁部１６と、これらの支持梁部１６に支持させて、複数の押圧突起１４周囲に環状に連続して配置される、環状規制部１７とを含んで構成されている。すなわち、広がり制限手段１５は、把持部３０からの押圧力により押圧突起１４の下端部分１４ａが頭皮に押し付けられた際に、複数の押圧突起１４の外側を囲んで環状に連続して配置される、環状規制部１７を含んで構成されている（図５（ｂ）参照）。また、広がり制限手段１５の上方への折り曲げを誘導すると共に、非制限状態維持手段２１として機能する折り曲げ誘導部１６ａは、支持梁部１６の延設方向の中間部分において、支持梁部１６の上面を横断する好ましくはＶ字断面形状の凹溝を、切り欠き状溝部１６ａとして形成することによって設けられている（図７（ａ）参照）。
【００１８】
広がり制限手段１５は、把持部３０からの押圧力により押圧突起１４の先端部分１４ａが頭皮等に押し付けられた際に、好ましくは押圧突起１４の根本部分１４ｂの外周部分が、内側から環状規制部１７に当接することで、押圧突起１４の外側への広がりを規制できるようになっている(図５（ｂ）参照)。広がり制限手段１５は、複数の支持梁部１６を各々斜め下方に延設させていることで、複数の押圧突起１４の周囲に環状規制部１７を環状に連続して配置したまま維持して、押圧突起１４の外側への広がりを制限する状態(図５（ａ）、（ｂ）参照)で主として頭皮等をマッサージ又はマッサージとともに洗浄する用途と、支持梁部１６を上方に反転させることで、環状規制部１７を上方に持ち上げたまま維持して、押圧突起１４の外側への広がりを制限しない状態（図６（ａ）、（ｂ））で主として頭皮等を一層ソフトにマッサージする用途とを、用途に応じて、適宜切り替えることができるようになっている。
【００１９】
本第１実施形態では、マッサージブラシ１０は、ブラシ本体部１１と、把持部３０及び接合ドラム部３１を有するマッサージブラシ用ハンドル３２とを、連設することによって形成されている。ブラシ本体部１１は、基部１２、張出し梁部１３、押圧突起１４、広がり制限手段１５、及び後述する中央部押圧突起１８を含んで一体成形されており、マッサージブラシ用ハンドル３２は、ブラシ本体部１１とは別に成形されている。マッサージブラシ１０は、例えばブラシ本体部１１の基部１２の上面の中央部分から立設させた嵌合突起１９（図２参照）に、把持部３０の端部に設けられた接合ドラム部３１の下端面に形成された嵌合穴（図示せず）を嵌め込むようにして固着することにより、ブラシ本体部１１にマッサージブラシ用ハンドル３２（把持部３０）を一体として連設することができ、これによって本第１実施形態のマッサージブラシ１０が形成される。
【００２０】
本第１実施形態のマッサージブラシ１０を構成するブラシ本体部１１は、好ましくは相当の弾性力を備える合成樹脂材料として、例えば、エラストマー（スチレン系、ポリエステル系、オレフィン系、ウレタン系など）等を用いて、基部１２、張出し梁部１３、押圧突起１４、広がり制限手段１５、及び中央部押圧突起１８が一体成形されて形成されている。これによって、張出し梁部１３と、押圧突起１４と、中央部押圧突起１８とは、いずれも、把持部３０からの押圧力により押圧突起１４や中央部押圧突起１８の下端部分１４ａ、１８ａが頭皮等に押し付けられた際に、弾性変形することが可能な弾性部材によって形成されていることになる。
【００２１】
ここで、基部１１、張出し梁部１３、及び押圧突起１４を形成するエラストマーは、ゴム状弾性を示す高分子成形体であり、エラストマーを構成するエラストマー樹脂としては、天然ゴム（ＮＲ）、ジエン系ゴム、非ジエン系ゴム、熱可塑性エラストマー等を用いることができる。これらの中でも、熱可塑性エラストマーを用いることが、射出成形による成型加工が可能である等の観点から好ましい。
【００２２】
ジエン系ゴムとしては、イソプレンゴム（ＩＲ）、ブタジエンゴム（ＢＲ）、スチレン・ブタジエンゴム（ＳＢＲ）、クロロプレンゴム（ＣＲ）、ニトリルゴム（ＮＢＲ）等が挙げられ、非ジエン系ゴムとしては、ブチルゴム（イソブチエン・イソプレンゴム（ＩＩＲ））、エチレン・プロピレンゴム（ＥＰＭ）、エチレン・プロピレン・ジエンゴム（ＥＰＤＭ）、ウレタンゴム（Ｕ）、シリコーンゴム（Ｑ）等が挙げられる。
【００２３】
熱可塑性エラストマーとしては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。
これらのエラストマーは一種を単独で又は２種以上を組み合わせて用いることもできる。
【００２４】
また、基部１１、張出し梁部１３、及び押圧突起１４を構成するエラストマーを形成するためのエラストマー樹脂は、ＡＳＴＭ  Ｄ２２４０  ０−１００に準拠して測定された硬度（ショアＡ硬度）が、好ましくは３０以上であり、より好ましくは４０以上であり、また、好ましくは８０以下であり、より好ましくは７０以下であり、より具体的には、好ましくは３０以上８０以下であり、より好ましくは４０以上７０以下の素材を用いることが好ましい。
【００２５】
〔ショアＡ硬度の測定方法〕
平らな面に置いた試料の平面に、両手で保持したゴム硬度計の加圧面を真上から一定速度で垂直に押し付け、密着後、１秒以内の値を「硬さ」とする。試料の測定位置は試料の端から１２ｍｍ以上内側、測定箇所の間隔は６ｍｍ以上とする。測定に使用する試料は、長さ及び幅をそれぞれ２５ｍｍ以上、厚みを６ｍｍ以上とし、試験環境は温度２３±２度、湿度５０±５％とする。５ヶ所の中央値あるいは平均値を測定値に採用し、ゴム硬度計（株式会社テクロック製，ＧＳ７０９Ｎ  形式Ａ）で５０を示した場合、ショアＡ硬度は５０（「Ａ５０」）である。
【００２６】
基部１２は、例えば２〜１０ｍｍ程度の厚さを有すると共に、例えば５〜５０ｍｍ程度の直径を有する、好ましくは円盤形状の部分となっている。基部１２の上面には、マッサージブラシ用ハンドル３２（把持部３０）を連設させるための、嵌合突起１９と一体となった接合部プレート１９ａが固着されている。これによって嵌合突起１９は、基部１２の上面の中央部分から上方に立設して設けられている。嵌合突起１９及び接合部プレート１９ａは、マッサージブラシ用ハンドル３２と同様に、ブラシ本体部１２を形成する合成樹脂材料よりも硬い材質の合成樹脂材料を用いて形成されている。
【００２７】
ここで、基部１２の上面は、把持部３０から基部１２に押圧力を加える際の押圧方向の後方側の面であり、下面は、押圧方向の前方側の面である。また、ブラシ本体部１１において、下方は、把持部から基部に押圧力を加える際の押圧方向の前方側であり、上方は、押圧方向の後方側である。
【００２８】
また、本第１実施形態では、基部１２の外周部分から基部１２の径方向外側に延設して、先端部分に押圧突起１４を備える張出し梁部１３と、環状規制部１７を支持する支持梁部１６とが、周方向に交互に配置されると共に、周方向に等角度ピッチで、各々複数（本第１実施形態では、各々８本ずつ）互いに間隔をおいた状態で設けられている。張出し梁部１３及び支持梁部１６の上面は、環状規制部１７の上面と共に、全体として例えば４０〜１００ｍｍ程度の曲率半径で湾曲するドーム形状を形成するように、緩やかに湾曲する凸曲面となっている。
【００２９】
張出し梁部１３は、本第１実施形態では、基部１２の周方向に間隔をおいて４５°の等角度ピッチで８箇所に設けられている。張出し梁部１３は、基部１２の外周部分から基部１２の径方向外側に延設して、例えば１０〜５０ｍｍ程度の長さを有するように、片持ち梁状に張り出した状態で設けられている。張出し梁部１３は、例えば２〜１０ｍｍ程度の厚さを有すると共に、例えば３〜１５ｍｍ程度の幅を有する断面形状を備えている。張出し梁部１３は、その先端部が、丸く面取りされた平面形状を備えていると共に、丸く面取りされた先端部分から下方に突出して、押圧突起１４が、当該先端部分に連続して設けられている。ここで、本第１実施形態では、張出し梁部１３は、延設方向に湾曲する形状を備えており、張出し梁部１３の長さは、湾曲に沿った長さである。
【００３０】
押圧突起１４は、下端部分１４ａが頭皮等を押圧する押圧部となっている、直径が例えば５〜１０ｍｍ程度の円柱状の突起である。押圧突起１４は、環状規制部１７の下端縁部によって囲まれた広がり制限手段１５の下端開口面から、例えば１０〜３０ｍｍ程度の長さで下方に突出した状態で、環状規制部１７の内側に隣接配置されて８箇所に設けられている。
【００３１】
支持梁部１６は、環状規制部１７と共に広がり制限手段１５を構成する部分であり、基部１２の周方向に間隔をおいて４５°の等角度ピッチで８箇所に設けられている。支持梁部１６は、例えば２〜７ｍｍ程度の厚さを有しており、両側に隣接する張出し梁部１３の側縁部との間に、例えば０．３〜３ｍｍ程度の幅の貫通溝２０を介在させて、基部１２から末広がりに幅を拡大させながら外側に張り出した状態で設けられている。支持梁部１６の先端部（外側方向）には、環状規制部１７が連続して設けられていることで、環状規制部１７は、支持梁部１６によって基部１２から片持ち梁状に支持される。支持梁部１６は、上面を円弧状にし、且つ下方に次第に下がるように湾曲している。これにより、張出し梁部１３及び押圧突起１４の広がりを一層制限し易くなる。
【００３２】
環状規制部１７は、８箇所の支持梁部１６に支持されて周方向に環状に延設することで、８箇所の張出し梁部１３の先端部分を連続して囲んだ状態でリング状に設けられている。環状規制部１７は、各一対の支持梁部１６の間の部分において、張出し梁部１３の丸く面取りされた先端部分との間に、例えば０．３〜３ｍｍ程度の幅の貫通溝２０を介在させて、張出し梁部１３の丸く面取りされた先端部分の周縁部に沿った形状の内縁縁部を備えるように形成されている。また、環状規制部１７は、例えば４０〜１００ｍｍ程度の直径の円形の外周形状を備えるように形成されていると共に、複数の押圧突起１４周囲に環状に連続して配置される。環状規制部１７は、把持部３０からの押圧力により押圧突起１４の下端部分１４ａが頭皮等に押し付けられた際に、複数の押圧突起１４の、好ましくは根本部分１４ｂを囲んで環状に連続して配置される部分を備えている(図５（ａ）、（ｂ）参照)。
【００３３】
また、本第１実施形態では、頭皮等を押圧する押圧部となる押圧突起１４の下端部分１４ａは、張出し梁部１３の張出し方向の外側から内側に向けて、上方に傾斜して形成された湾曲凸面１４ｃを内側部分に備えている。押圧突起１４の下端部分１４ａの外側部分による先端部１４ｄの先端曲率半径は、内側部分の湾曲凸面１４ｃの曲率半径よりも、小さくなっている。すなわち、内側部分の湾曲凸面１４ｃは、例えば４〜２０ｍｍ程度の曲率半径（ブラシ本体部１１の径方向における曲率半径）を有しており、外側部分による先端部１４ｄは、例えば１〜４ｍｍ程度の先端曲率半径（ブラシ本体部１１の径方向における曲率半径）を有している。これによって、先端部１４ｄの先端曲率半径は、湾曲凸面１４ｃの曲率半径よりも、小さくなっている。
【００３４】
さらに、本第１実施形態では、押圧突起１４の下端部分１４ａの外側部分による先端部１４ｄに、当該先端部１４ｄの先端端曲率半径よりも小さな先端曲率半径を有する下端部補助突起１４ｅが、複数本（本第１実施形態では５本）、下方に突出して設けられている。下端部補助突起１４ｅは、各々の押圧突起１４の下端部分１４ａの先端部１４ｄから、例えば１〜５ｍｍ程度の長さで下方に突出している。下端部補助突起１４ｅは、例えば１〜３ｍｍ程度の直径を有する細長い円柱状の突起となっており、先端部の先端曲率半径は、例えば０．３〜１．５ｍｍ程度となっている。
【００３５】
さらにまた、本第１実施形態では、基部１２の下面から下方に突出して、中央部押圧突起１８が、複数本（本第１実施形態では、４本）設けられている。中央部押圧突起１８は、押圧部となる先端部分１８ａが、半球形状に形成されている。中央部押圧突起１８は、基部１２との一体化部分である基端部における直径が例えば４〜１０ｍｍ程度の大きさの、円錐形状の突起となっている。中央部押圧突起１８は、押圧突起１４の長さよりも、例えば６〜１２ｍｍ程度短い長さを有している。中央部押圧突起１８は、好ましくは非使用時に、広がり制限手段１５の環状規制部１７の下端縁部によって囲まれた下端開口面から、はみ出ないように下方に突出した状態で設けられている。
【００３６】
ブラシ本体部１１の基部１２に連設されるマッサージブラシ用ハンドル３２は、上述のように、把持部３０と接合ドラム部３１とを含んで形成される。マッサージブラシ用ハンドル３２は、合成樹脂材料として、ブラシ本体部１１の材料よりも硬い例えばＡＢＳ（アクリロニトリル・ブタジエン・スチレン共重合体）樹脂、ＰＢＴ（ポリブチレンテレフタレート）樹脂、ＰＰ（ポリプロピレン）樹脂、ＰＥ（ポリエチレン）樹脂、ＰＥＴ（ポリエチレンテレフタレート）樹脂、ＰＣＴＡ（ポリシクロヘキサンジメチレンテレフタレート）樹脂、ＰＯＭ（ポリアセタール）樹脂、アクリル樹脂、ＡＳ（アクリル二トリルスチレン共重合体）樹脂、ＰＳ（ポリスチレン）樹脂等を用いて成形されている。マッサージブラシ用ハンドル３２は、ブラシ本体部１１に連設されて、押圧突起１４や中央部押圧突起１８を頭皮等に押し当てるための押圧力や、頭部を揉み解すための回転力等を、把持部３０からブラシ本体部１１に効率良く伝達できるようになっている。
【００３７】
上述の構成を備える本第１実施形態のマッサージブラシ１０は、図５（ａ）に示す、広がり制限手段１５の環状規制部１７を、複数の押圧突起１４の周囲に配置して、押圧突起１５の外側への広がりを制限する状態を維持したまま、把持部３０からの押圧力によって押圧突起１４の先端部分１４ａを頭皮等に押し付けて、ブラシ本体部１１を頭皮等に沿って動かすことにより（図５（ｂ）参照）、頭皮等のマッサージ又は頭皮や毛穴等の洗浄を効果的に行うことが可能になる。
【００３８】
すなわち、本第１実施形態によれば、複数の押圧突起１４の周囲に広がり制限手段１５の環状規制部１７が配置された状態で、ブラシ本体部１１を頭皮等に沿って動かせば、押圧突起１４は、図５（ｂ）に示すように、好ましくは根本部分１４ｂが環状規制部１７の内側に当接して、外側への広がりが規制されると共に、当接による摩擦力等によって張出し梁部１３の上方への弾性変形も規制されることになるので、頭皮等を押圧する押圧部となる押圧突起１４の下端部分１４ａの動きが、例えば頭皮並びに頭皮の毛穴にアプローチし易い適度な動きに制限されることになる。これによって、頭皮等の洗浄を効果的に行うことが可能になると共に、圧迫法、強擦法、揉捏法、軽擦法、打突法等による頭皮のマッサージ効果を、効果的に発揮させることが可能になる。
【００３９】
また、本第１実施形態では、押圧突起１４の下端部分１４ａは、内側に向けて上方に傾斜して形成された湾曲凸面１４ｃを内側部分に備えることで、外側部分が、内側部分よりも下方に突出する、先端曲率半径（ブラシ本体部１１の径方向における曲率半径）の小さな先端部１４ｄを有しているので、この先端曲率半径の小さな先端部１４ｄを頭皮等に押し付けることで、例えば頭皮の毛穴に一層アプローチし易くなる。
【００４０】
さらにまた、本第１実施形態では、押圧突起１４の下端部分１４ａの外側部分による先端部１４ｄに、当該先端部１４ｄの先端端曲率半径よりも小さな先端曲率半径を有する下端部補助突起１４ｅが、下方に突出して設けられているので、この下端部補助突起１４ｅの先端曲率半径の小さな先端部を頭皮等に押し付けることで、例えば頭皮の毛穴により一層アプローチし易くなる。
【００４１】
そして、本第１実施形態のマッサージブラシ１０では、上述のように、広がり制限手段１５の環状規制部１７を、複数の押圧突起１４の周囲に配置して、押圧突起１５の外側への広がりを制限する状態から（図５（ａ）参照）、張出し梁部１３と共にドーム形状を形成しているブラシ本体部１１の支持梁部１６を、当該支持梁部１６の弾性、及び切り欠き状溝部１６ａによる折り曲げ誘導部（図７（ａ）、（ｂ）参照）を利用して、図６（ａ）に示すように、基部１２との接続部分を中心に上方に向けて凹状に湾曲するように反転させる。これによって、広がり制限手段１５の環状規制部１７が、押圧突起１４の外側への広がりを制限しない状態に切り替えて、折り曲げ誘導部１６ａの非制限状態維持手段２１としての機能によって、この状態を維持することができるようになっている。この状態を維持したまま、把持部３０からの押圧力によって、図６（ｂ）に示すように、押圧突起１４の先端部分１４ａを頭皮等に押し付けて、張出し梁部１３及び押圧突起１４を弾性変形させながら、当該先端部分１４ａを頭皮等に沿って動かすことにより、主として頭皮等のマッサージを、一層ソフトな感触で行うことが可能になる。
【００４２】
すなわち、本第１実施形態によれば、押圧突起１４の外側への広がりを制限しない状態で、押圧部となる押圧突起１４の下端部分１４ａを頭皮等に押し付ければ、押圧突起１４の下端部分１４ａは、押圧突起１４を外側に広がるように弾性変形させながら、球面状の頭部の頭皮等に沿って大きな可動範囲で動き易くなる。また、押圧突起１４を介した頭皮等からの反力を受けて、押圧突起１４が接続する張出し梁部１３の先端部分もまた、弾性変形しつつ上方に持ち上がるようして移動するので、押圧突起１４の下端部分１４ａを、さらに大きな可動範囲で頭皮等に沿って動かすことが可能になる。これらによって、押圧突起１４の動きを改善して、圧迫法、強擦法、揉捏法、軽擦法、打突法等によるマッサージ効果を、一層ソフトな感触で発揮させることが可能になる。
【００４３】
また、本第１実施形態では、押圧突起１４の外側への広がりを制限しない状態で、押圧突起１４の下端部分１４ａを頭皮等に押し付けた際に、張出し梁部１３が接続する基部１２は、沈み込むようにして頭皮等に向けて下方に移動し易くなる。これによって、基部１２から下方に突出する中央部押圧突起１８の先端部分１８ａを、頭皮等に当接させることが可能になるので、中央部押圧突起１８による、例えば指圧やつぼ押しによるマッサージ効果をソフトな感触で得ることも可能になる。
【００４４】
さらに、本第１実施形態では、押圧突起１４の下端部分１４ａにおける、押圧突起１４が外側に広がるように弾性変形した際に球面状の頭部の頭皮等に当接する部分となる内側部分に、内側に向けて上方に傾斜して形成された湾曲凸面１４ｃを備えており、この湾曲凸面１４ｃの曲率半径は、外側部分による押圧突起１４の先端部１４ｄの先端曲率半径よりも、大きくなっている。これによって、押圧突起１４の下端部分１４ａを頭皮等に押し付けた際に、湾曲凸面１４ｃを介してより広い面積で下端部分１４ａを頭皮等に接触させる可能になるので、圧迫法、強擦法、揉捏法、軽擦法、打突法等によるマッサージ効果を、より効果的に発揮させることが可能になる。
【００４５】
これらによって、本第１実施形態のマッサージブラシ１０によれば、多様なマッサージを行うことが可能になると共に、一層ソフトな感触でマッサージを行うことが可能になる。
【００４６】
また、本第１実施形態のマッサージブラシ１０では、広がり制限手段１５は、非制限状態維持手段２１として機能する、切り欠き状溝部による折り曲げ誘導部１６ａを備えているので（図７（ａ）参照）、図７（ｂ）に示すように、この折り曲げ誘導部１６ａを介して、支持梁部１６の弾性を利用しつつ、ブラシ本体部１１の支持梁部１６を上方に向けて凹状に湾曲するように反転させることで、押圧突起１４の外側への広がりを制限ない状態にして、この状態を維持することが可能になる。また支持梁部１６の弾性を利用して、図７（ａ）に示すように、環状規制部１７の上面と共にドーム形状を形成する位置に支持梁部１６を戻すことで、複数の支持梁部１６が各々斜め下方に延設するように復帰させると共に、広がり規制手段１５の環状規制部１７により押圧突起１４の外側への広がりを制限する状態にして、この状態を維持することが可能になる。このように、支持梁部１６の弾性、及び切り欠き状溝部１６ａによる折り曲げ誘導部を利用して、押圧突起１４の外側への広がりを制限しない状態と広がりを制限する状態とを切り替え、また各々の状態を維持することが可能になる。
【００４７】
なお、非制限状態維持手段２１として機能する折り曲げ誘導部１６ａは、支持梁部１６の延設方向の中間部分において、支持梁部１６の上面を横断して形成された切り欠き状溝部１６ａによるものである必要は必ずしも無く、例えば同様の部位における支持梁部１６の下面に設けられた、スリット等によるものであっても良い。
【００４８】
図８及び図９（ａ）、（ｂ）は、本発明の好ましい第２実施形態に係るマッサージブラシ２２を示すものである。本第２実施形態のマッサージブラシ２２では、広がり制限手段１５は、複数の張出し梁部１３の上面を覆って配置された、好ましくは傘状部材２３を含んで構成されている。傘状部材２３による広がり制限手段１５は、張出し梁部１３の上方への移動を傘状部材２３によって制限することで、押圧突起１４が弾性変形する際の自由長を、張出し梁部１３を含まない押圧突起１４のみの短い自由長として、押圧突起１４の外側への広がりを制限するものとなっている。また、本第２実施形態のマッサージブラシ２２では、傘状部材２３は、外周縁部２３ａが、図１０に示すように、複数の押圧突起１４の根本部分１４ｂの外側を、環状に連続して囲む位置まで下方に延設していることにより、環状規制部１７としても機能することができるようになっている。本第２実施形態のマッサージブラシ２２のその他の部分は、上記第１実施形態のマッサージブラシ２２と略同様の構成を備えている。
【００４９】
なお、本第２実施形態のマッサージブラシ２２では、上記第１実施形態のマッサージブラシ１０と同様の構成部分については、同様の符号を付すことで、その詳細な説明については適宜省略する。上記第１実施形態のマッサージブラシ１０と同様の符号を付した構成部分については、上記第１実施形態のマッサージブラシ１０における説明が適宜適用される。
【００５０】
本第２実施形態のマッサージブラシ２２では、複数の張出し梁部１３の上面を一体として覆って傘状部材２３を配置して、押圧突起１４の外側への広がりを制限することで、頭皮等の洗浄及びマッサージを効果的に行うことが可能な状態から、上記第１実施形態のマッサージブラシ１０と同様に、好ましくはドーム形状を備える傘状部材２３を、当該傘状部材２３の弾性を利用して、図１１に示すように、基部１２との接続部分を中心に上方に向けて凹状に湾曲するように反転させることができるようになっている。これによって、ドーム形状の傘状部材２３自体を非制限状態維持手段２１として、傘状部材２３による広がり規制手段１５が、押圧突起１４の外側への広がりを制限しない状態に切り替えて、この状態を維持することが可能になる。またこれによって、把持部３０からの押圧力により頭皮等のマッサージを一層ソフトな感触で行うことが可能な状態に、切り換えることが可能になるので、本第２実施形態のマッサージブラシ２２によっても、上記第１実施形態のマッサージブラシ２２と同様の作用効果が奏される。
【００５１】
また、本第２実施形態では、図１２（ａ）、（ｂ）に示すように、例えばマッサージブラシ用ハンドル３２の先端部分から外側に張り出すように延設させて、制限手段係止部２４を設けておくこともできる。制限手段係止部２４は、基部１２との接続部分を中心に上方に向けて凹状に湾曲するように反転させた傘状部材２３を、反転させた状態のまま係止する、非制限状態維持手段２１としての機能を備える。傘状部材２３を反転させた状態のまま係止する制限手段係止部２４が設けられていることにより、押圧突起１４の外側への広がりを制限しない、一層ソフトな感触で頭皮等のマッサージを行うのに適した状態を、より安定して維持することが可能になる。このような制限手段係止部は、上記第１実施形態のマッサージブラシ１０において、広がり規制手段を反転させたまま保持する非制限状態維持手段２１として用いることもできる。
【００５２】
図１３及び図１４（ａ）、（ｂ）は、本発明の好ましい第３実施形態に係るマッサージブラシ２５を示すものである。本第３実施形態のマッサージブラシ２５では、広がり制限手段１５は、複数の押圧突起１４の根本部分１４ｂの外側の周囲に環状に連続して取り付けられた、リング状部材２６を、環状規制部として含んで構成されている。また、本第３実施形態では、リング状部材２６は、複数の押圧突起１４の根本部分１４ｂの外側部分に各々形成された、リング係止溝２７に係止されて、根本部分１４ｂの周囲に環状に連続して取り付けられている。本第３実施形態のマッサージブラシ２５のその他の部分は、上記第１実施形態のマッサージブラシ２２と略同様の構成を備えている。
【００５３】
なお、本第３実施形態のマッサージブラシ２５では、上記第１実施形態のマッサージブラシ１０と同様の構成部分については、同様の符号を付すことで、その詳細な説明については適宜省略する。上記第１実施形態のマッサージブラシ１０と同様の符号を付した構成部分については、上記第１実施形態のマッサージブラシ１０における説明が適宜適用される。
【００５４】
本第３実施形態のマッサージブラシ２５では、リング状部材２６による広がり制限手段１５は、好ましくはリング係止溝２７に係止されて、押圧突起１４の根本部分１４ｂの周囲に環状に連続して取り付けられることで、押圧突起１４の外側への広がりを制限して、頭皮等の洗浄やマッサージを効果的に行うことが可能な状態から、例えば張出し梁部１３や押圧突起１４を弾性変形させながら、上方に移動させて制限状態を解除し、押圧突起１４の外側への広がりを制限しない状態に切り換えて、この状態を維持でいるようになっている。また、押圧突起１４の外側への広がりを制限しない状態から、例えば張出し梁部１３や押圧突起１４を弾性変形させながら、リング状部材２６を下方に移動させることで、好ましくはリング係止溝２７に係止して、押圧突起１４の根本部分１４ｂの周囲に環状に連続して取り付けることにより、押圧突起１４の外側への広がりを制限しない状態に切り換えることができるようになっている。これらによって、本第３実施形態のマッサージブラシ２５によっても、上記第１実施形態のマッサージブラシ２２と同様の作用効果が奏される。
【００５５】
また、本第３実施形態のマッサージブラシ２５において、広がり制限手段１５として用いるリング状部材２６は、合成樹脂製、金属製等の、種々の材質のものを用いることができる。また、リング状部材２６は、伸縮可能な弾性を備えるものであっても、弾性を備えていないものであっても良い。
【００５６】
なお、本発明は上記各実施形態に限定されることなく種々の変更が可能である。例えば、押圧突起の下端部分は、上記各実施形態の形状の他、種々の形状に形成することができる。押圧突起の下端部分は、例えば図１５（ａ）〜（ｆ）に示すように、張出し梁部の張出し方向の外側部分が内側部分よりも長くなっている、種々の形状を備えることができる。例えば図１５（ｃ）〜（ｆ）に示すように、押圧突起の下端部分の内側部分に形成された湾曲凸面に、凸面補助突起を設けることもできる。図１５（ｅ）、（ｆ）に示すように、押圧突起の下端部分の外側部分による先端部に、下端部補助突起を有する場合には、凸面補助突起は、該下端部補助突起よりも大きな先端曲率半径を有することが好ましい。図１５（ａ）に示すように、湾曲凸面に凸面補助突起を設けなくても良い。また、例えば図１５（ｂ）〜（ｄ）に示すように、押圧突起の下端部分の外側部分による先端部に、下端部補助突起を設けなくても良い。下端部補助突起は、１本又は複数本設けても良く、同じ形状のものを設けても、異なる形状のものを混在させて設けても良い。
【００５７】
押圧突起の下端部分は、張出し梁部の張出し方向の外側部分が内側部分よりも長くなっている必要は必ずしも無く、図１６（ａ）〜（ｅ）に示すように、半球状の形状を有していても良い。押圧突起の下端部分は、平坦な下端部を有していても良い。
【００５８】
押圧突起は、円柱状の突起である必要は必ずしも無く、例えば図１７（ａ）〜（ｃ）に示すように、三角形状やハート形状や楕円形状等の、種々の断面形状を備える柱状の突起であっても良い。
【００５９】
また、広がり制限手段を、上下にスライド移動可能に取り付けておき、例えば下方にスライド移動させて押圧突起の外側への広がりを制限する状態と、上方にスライド移動させて押圧突起の外側への広がりを制限しない状態とを、切り換え可能とすることもできる。例えば、広がり制限手段を上方にスライド移動した際に、係止部に係止させることで、この係止部を非制限状態維持手段として機能させて、押圧突起の外側への広がりを制限しない状態を維持させることもできる。
【００６０】
また、本発明のマッサージブラシは、人間だけで無く、犬や馬等の動物用としても用いることができる。
【符号の説明】
【００６１】
１０，２２，２５  マッサージブラシ
１１  ブラシ本体部
１２  基部
１３  張出し梁部
１４  押圧突起
１４ａ  下端部分
１４ｂ  根本部分
１４ｃ  湾曲凸面
１４ｄ  下端部
１４ｅ  下端部補助突起
１５  広がり制限手段
１６  支持梁部
１６ａ  切り欠き状溝部（折り曲げ誘導部）
１７  環状規制部
１８  中央部押圧突起
１８ａ  下端部分
１９  嵌合突起
２０  貫通溝
２１  非制限状態維持手段
２３  傘状部材（広がり制限手段）
２３ａ  外周縁部
２４  制限手段係止部
２６  リング状部材（広がり制限手段）
２７  リング係止溝
３０  把持部
３１  接合ドラム部
３２  マッサージブラシ用ハンドル
【図１】
2017108895.tif 000003
【図２】
2017108895.tif 000004
【図３】
2017108895.tif 000005
【図４】
2017108895.tif 000006
【図５】
2017108895.tif 000007
【図６】
2017108895.tif 000008
【図７】
2017108895.tif 000009
【図８】
2017108895.tif 000010
【図９】
2017108895.tif 000011
【図１０】
2017108895.tif 000012
【図１１】
2017108895.tif 000013
【図１２】
2017108895.tif 000014
【図１３】
2017108895.tif 000015
【図１４】
2017108895.tif 000016
【図１５】
2017108895.tif 000017
【図１６】
2017108895.tif 000018
【図１７】
2017108895.tif 000019